(57)【要約】      （修正有）【課題】監視者に混乱をもたらすことなく防排煙機器の連動停止状態の報知を行うことができる防災監視システム用受信機を提供する。【解決手段】火災の発生を地区ごとに表示可能な火報回線用地区表示部１２Ａ〜１２Ｅと、防排煙端末の作動を地区ごとに表示可能な防排煙回線用地区表示部１３Ａ〜１３Ｅと、表示制御を行う制御基板とを備えた受信機において、火報回線用地区表示部および防排煙回線用地区表示部は、地区名表示欄と該地区名表示欄の近傍に設けられた第１報知部１２２ａ、１２２ｂ、１３２ａ、１３２ｂとをそれぞれ有する。防排煙回線用地区表示部は、地区名表示欄の第１報知部が設けられている部位と異なる部位の近傍に設けられた第２報知部１３２ｃ、１３２ｄを有する。制御基板は、火報回線用地区表示部及び防排煙回線用地区表示部の第１報知部に同一種類の情報を表示させ、第２報知部に防排煙回線に特有の状態に関する情報を表示させる。【選択図】図３
2019128862.tif 000002
【特許請求の範囲】
【請求項１】
監視対象区域内における火災の発生を地区ごとに表示可能な複数の個別地区表示部を有する火報回線用地区表示部と、
監視対象区域内における防排煙端末の作動を地区ごとに表示可能な複数の個別地区表示部を有する防排煙回線用地区表示部と、
前記火報回線用地区表示部および前記防排煙回線用地区表示部の表示制御を行う制御基板と、を備えた防災監視システム用受信機であって、
前記火報回線用地区表示部の各個別地区表示部は、地区名表示欄と、該地区名表示欄の近傍に設けられた報知部と、をそれぞれ有し、
前記防排煙回線用地区表示部の各個別地区表示部は、地区名表示欄と、該地区名表示欄の近傍であって前記火報回線用地区表示部の前記報知部が設けられている部位と同一の部位に設けられた第１報知部と、該第１報知部が設けられている部位と異なる部位に設けられた第２報知部と、をそれぞれ有し、
前記制御基板は、前記火報回線用地区表示部の前記報知部および前記防排煙回線用地区表示部の前記第１報知部には同一種類の情報を表示させ、前記第２報知部には前記防排煙回線に特有の状態に関する情報を表示させるように構成されていることを特徴とする防災監視システム用受信機。
【請求項２】
前記第２報知部は前記地区名表示欄の近傍であって前記第１報知部が設けられている部位と対向する部位に設けられ、前記第２報知部に表示される前記防排煙回線に特有の状態に関する情報は連動停止状態であることを特徴とする請求項１に記載の防災監視システム用受信機。
【請求項３】
前記第２報知部は、前記地区名表示欄の前記異なる部位に並んで配設された２個のランプをそれぞれ備え、
前記制御基板は、前記第２報知部に対応する防排煙回線に設けられている防排煙端末の作動に関する情報を前記２個のランプのうち一方のランプにて表示させ、前記防排煙端末の連動停止に関する情報を前記２個のランプのうち他方のランプにて表示させるように構成されていることを特徴とする請求項１又は２に記載の防災監視システム用受信機。
【請求項４】
前記火報回線用地区表示部の前記報知部および前記防排煙回線用地区表示部の前記第１報知部は、前記地区名表示欄の前記報知部が設けられている部位に並んで配設された２個のランプをそれぞれ備え、
前記制御基板は、対応された回線に設けられている感知器の発報に関する情報を前記報知部および前記第１報知部の前記２個のランプのうち一方のランプにて表示させ、対応された回線における断線の発生に関する情報を前記２個のランプのうち他方のランプにて表示させるように構成されていることを特徴とする請求項３に記載の防災監視システム用受信機。
【請求項５】
前記火報回線用地区表示部の前記報知部および前記防排煙回線用地区表示部の前記第１報知部の前記２個のランプは各々異なる色で発光するとともに、前記火報回線用地区表示部の前記報知部の第１のランプと前記防排煙回線用地区表示部の前記第１報知部の第１のランプは同一色で発光し、前記火報回線用地区表示部の前記報知部の第２のランプと前記防排煙回線用地区表示部の前記第１報知部の第２のランプは同一色で発光するように構成され、
前記防排煙回線用地区表示部の前記第２報知部の前記２個のランプのうち一方のランプは、前記報知部および前記第１報知部の２個のランプの発光色とは異なる色で発光するように構成されていることを特徴とする請求項４に記載の防災監視システム用受信機。
【請求項６】
前記制御基板は、監視対象区域内の地区ごとに敷設されている複数の火報回線からの信号に応じて火災の発生を検知して前記報知部を作動させる機能と、監視対象区域内の地区ごとに敷設されている複数の防排煙回線からの信号に応じて火災の発生および防排煙回線に接続されている防排煙端末の作動を検知して前記第１報知部および前記第２報知部を作動させる機能を有することを特徴とする請求項１〜５のいずれかに記載の防災監視システム用受信機。
【発明の詳細な説明】
【技術分野】
【０００１】
この発明は、火災感知器や発信機等からの信号を受信して火災を警報する火災受信機のような防災監視システム（火災報知システムを含む）に用いられる受信機に関し、特にＰ型受信機や副受信機における地区窓の構成に利用して有効な技術に関する。
【背景技術】
【０００２】
従来、火災感知器や発信機等からの信号を受信して火災を警報する火災受信機には、監視地区ごとに敷設された火報回線に接続されている感知器等の端末機器からの信号を受けて、地区ごとに火災の発生を報知する地区表示灯が設けられているものがある。例えば特許文献１や２には、地区名を文字で表示した地区表示プレート（台紙）と１：１で対応するようにして、地区表示プレートの左側に地区表示灯を設けた複数の地区窓からなる火災表示部を有する火災受信機が記載されている。
【０００３】
また、特許文献３には、地区窓ごとに２つの表示灯を上下に並べて配設し、上側の表示灯を火報回線での発報状態を報知するために使用し、下側の地区表示灯を防排煙機器回線の作動状態を報知するために使用するようにした火災受信機が記載されている。
なお、特許文献３には、２つの地区表示灯の一方を諸警報表示用の警報表示灯として利用し、これを点灯又は点滅駆動させることによって所望の機器の異常状態を確認できるように構成することも記載されている。
【先行技術文献】
【特許文献】
【０００４】
【特許文献１】特開平１０−３２６３８９号公報
【特許文献２】特開２００４−１５７６７０号公報
【特許文献３】特開平０７−２４９１８６号公報
【発明の概要】
【発明が解決しようとする課題】
【０００５】
特許文献３に記載されている火災受信機の火災表示部にあっては、地区窓ごとに２つの表示灯を備えているため、火報回線での発報状態の報知と防排煙機器回線の作動状態の報知および機器の異常状態の報知を行えるという利点があるものの、１つの表示灯を火災発報（または防排煙機器の作動報知）と機器の異常報知に利用しているため、監視者が混乱を招き易い。また、防排煙機器に関しては感知器と連動して作動する場合と手動で作動する場合があり、どちらで作動したのか報知したいときや防排煙機器の連動停止状態を報知したいときに、防排煙機器作動報知の表示灯を利用してそれらの状態を報知しようとすると、さらに混乱を招いてしまうという課題がある、
【０００６】
本発明は上記のような背景の下になされたもので、その目的とするところは、監視者に混乱をもたらすことなく防排煙機器の連動停止状態の報知を行うことができる防災監視システム用受信機を提供することにある。
本発明の他の目的は、監視者に混乱をもたらすことなく火報回線での発報状態の報知と防排煙回線の作動状態の報知および機器の異常や作動に関する状態の報知や防排煙機器の連動停止状態の報知を行うことができる防災監視システム用受信機を提供することにある。
【課題を解決するための手段】
【０００７】
上記の課題を解決するため、本出願に係る発明は、
監視対象区域内における火災の発生を地区ごとに表示可能な複数の個別地区表示部を有する火報回線用地区表示部と、
監視対象区域内における防排煙端末の作動を地区ごとに表示可能な複数の個別地区表示部を有する防排煙回線用地区表示部と、
前記火報回線用地区表示部および前記防排煙回線用地区表示部の表示制御を行う制御基板と、を備えた防災監視システム用受信機において、
前記火報回線用地区表示部の各個別地区表示部は、地区名表示欄と、該地区名表示欄の近傍に設けられた報知部と、をそれぞれ有し、
前記防排煙回線用地区表示部の各個別地区表示部は、地区名表示欄と、該地区名表示欄の近傍であって前記火報回線用地区表示部の前記報知部が設けられている部位と同一の部位に設けられた第１報知部と、該第１報知部が設けられている部位と異なる部位に設けられた第２報知部と、をそれぞれ有し、
前記制御基板は、前記火報回線用地区表示部の前記報知部および前記防排煙回線用地区表示部の前記第１報知部には同一種類の情報を表示させ、前記第２報知部には前記防排煙回線に特有の状態に関する情報を表示させるように構成したものである。
【０００８】
上記のような手段によれば、監視対象区域内に複数の火報回線と複数の防排煙回線が敷設されている場合に、それぞれの回線の感知器の発報状態を、同一の部位に設けられた火報回線用地区表示部の報知部と防排煙回線用地区表示部の第１報知部により表示することで、監視者に混乱をもたらすことなく各地区での火災発報を報知することができる。また、防排煙回線用地区表示部の各個別地区表示部には、第１報知部が設けられている部位（辺）と異なる部位（辺）に第２報知部が設けられ、この第２報知部に防排煙回線に特有の状態に関する情報を表示されるため、監視者に混乱をもたらすことなく防排煙端末の状態の報知を行うことができる。ここで、防排煙端末の状態としては、防排煙端末が作動しているか否かや、防排煙端末が連動停止状態にあるか否かがある。
【０００９】
ここで、望ましくは、前記第２報知部は前記地区名表示欄の近傍であって前記第１報知部が設けられている部位と対向する部位に設けられ、前記第２報知部に表示される前記防排煙回線に特有の状態に関する情報は連動停止状態であるようにする。
かかる構成によれば、防排煙回線用地区表示部の各個別地区表示部の第１報知部と第２報知部とが対向する部位（辺）に設けられているため、複数の防排煙地区回線に対応して複数の個別地区表示部を設ける場合に地区表示部の構成をすっきりさせるとともに、第１報知部と第２報知部が離れていることで監視者に混乱をもたらすことなく火災発報の状態と防排煙端末が連動停止状態にあるかないかの報知を地区回線ごとに行うことができる。
【００１０】
また、望ましくは、前記第２報知部は、前記地区名表示欄の前記異なる部位に並んで配設された２個のランプをそれぞれ備え、
前記制御基板は、前記第２報知部に対応する防排煙回線に設けられている防排煙端末の作動に関する情報を前記２個のランプのうち一方のランプにて表示させ、前記防排煙端末の連動停止に関する情報を前記２個のランプのうち他方のランプにて表示させるように構成する。
かかる構成によれば、防排煙回線用地区表示部の各個別地区表示部の第２報知部は２個のランプを備えるため、一方のランプにて防排煙端末の作動に関する情報を表示させ、他方のランプにて防排煙端末の連動停止に関する情報を表示させることができ、監視者に混乱をもたらすことなく防排煙端末に関する複数の情報を報知することができる。
【００１１】
さらに、望ましくは、前記火報回線用地区表示部の前記報知部および前記防排煙回線用地区表示部の前記第１報知部は、前記地区名表示欄の前記報知部が設けられている部位に並んで配設された２個のランプをそれぞれ備え、
前記制御基板は、対応された回線に設けられている感知器の発報に関する情報を前記報知部および前記第１報知部の前記２個のランプのうち一方のランプにて表示させ、対応された回線における断線の発生に関する情報を前記２個のランプのうち他方のランプにて表示させるに構成する。
かかる構成によれば、火報回線用地区表示部の報知部と防排煙回線用地区表示部の第１報知部がそれぞれ２個のランプを備え、回線の種類が異なっても感知器に関する同一種類の情報を同じ態様で表示するため、感知器に関する複数の情報を監視者に混乱をもたらすことなく報知することができる。
【００１２】
さらに、望ましくは、前記火報回線用地区表示部の前記報知部および前記防排煙回線用地区表示部の前記第１報知部の前記２個のランプは各々異なる色で発光するとともに、前記火報回線用地区表示部の前記報知部の第１のランプと前記防排煙回線用地区表示部の前記第１報知部の第１のランプは同一色で発光し、前記火報回線用地区表示部の前記報知部の第２のランプと前記防排煙回線用地区表示部の前記第１報知部の第２のランプは同一色で発光するように構成され、
前記防排煙回線用地区表示部の前記第２報知部の前記２個のランプのうち一方のランプは、前記報知部および前記第１報知部の２個のランプの発光色とは異なる色で発光するようにする。
上記のような構成を有する受信機によれば、防排煙回線用地区表示部の第２報知部の２個のランプのうち一方のランプは、火報回線用地区表示部の報知部と防排煙回線用地区表示部の第１報知部の２個のランプの発光色とは異なる色で発光するため、防排煙端末の作動に関する情報を、より一層監視者に混乱をもたらすことなく報知することができる。
【００１３】
また、望ましくは、前記制御基板は、監視対象区域内の地区ごとに敷設されている複数の火報回線からの信号に応じて火災の発生を検知して前記報知部を作動させる機能と、監視対象区域内の地区ごとに敷設されている複数の防排煙回線からの信号に応じて火災の発生および防排煙回線に接続されている防排煙端末の作動を検知して前記第１報知部および前記第２報知部を作動させる機能を有するように構成する。
かかる構成によれば、複数の火報回線および防排煙回線を有する監視システムにおいて、監視者に混乱をもたらすことなく火災発報および防排煙端末の連動停止状態等の情報の報知を行うことができる火災受信機を提供することができる。
【発明の効果】
【００１４】
本発明によれば、監視者に混乱をもたらすことなく防排煙機器の連動停止状態の報知を行うことができる防災監視システム用受信機を提供することができる。また、監視者に混乱をもたらすことなく火報回線での発報状態の報知と防排煙回線の作動状態の報知および機器の異常や作動に関する状態の報知や防排煙機器の連動停止状態の報知を行うことができる防災監視システム用受信機を提供することができるという効果がある。
【図面の簡単な説明】
【００１５】
【図１】本発明に係る情報表示部を備えた火災受信機の一実施形態を示す正面図である。
【図２】実施形態の火災受信機内に設けられている主機能部の構成例を示すブロック図である。
【図３】実施形態の火災受信機に設けられている火報回線用の地区表示窓および防排煙回線用の地区表示窓における個別地区表示部の構成例を示す拡大図である。
【図４】実施形態の火災受信機における防排煙回線用の個別地区表示部による表示態様の例を示す説明図である。
【図５】実施形態の火災受信機における防排煙手動制御モードでの処理手順の一例を示すフローチャートである。
【図６】実施形態の火災受信機における防排煙回線の火災試験モードでの処理手順の一例を示すフローチャートである。
【図７】本発明を適用した副受信機の前面パネルの構成例を示す正面図である。
【発明を実施するための形態】
【００１６】
以下、この発明の実施の形態について、図面を参照しながら説明する。
図１には、本発明を適用したＰ型火災受信機の前面パネルの一実施形態が示されている。図１の火災受信機１０は、建物の防災センターや中央管理室に設置され、建物内に設置された火報回線の感知器や発信機からの火災信号を受信し、地区音響装置を鳴動させて火災の発生を音響で知らせるとともに、防排煙回線の連動用感知器からの火災信号を受信し、当該火災受信機１０の前面パネルに設けられているランプ等の表示により火災発生や防排煙端末（排煙ダンパーや防煙シャッター等）の作動を報知する機能を有する。また、本実施形態の火災受信機は、火報回線および防排煙回線それぞれについて、複数（例えば５つ）の地区回線に対応可能に構成されている。
【００１７】
火災受信機１０の前面パネルには、図１に示すように、交流電源の投入や火災発報、発信機信号の入力など火災受信機の動作状態を各種ランプの点灯で表示する主操作部１１と、火災発報した回線や感知器線断線が発生した回線を表示する火報回線用の地区表示窓１２、火災が発生した場所や防排煙端末等の作動した場所を表示する防排煙回線用の地区表示窓１３、火災の発生等を知らせるスピーカ１４、受信機の音響やベル（地区音響）を停止させるための押釦を備えた音響操作部１５、受信機の動作モードや後述の電池試験が実施された際の結果等の情報を表示するドットマトリクス型ＶＦＤ（蛍光表示管）などからなる情報表示部１６、表示内容を変更するためのシフトボタンなどを有する表示操作部１７、受信機の火災内容・異常内容などを情報表示部１６に表示させて確認するため情報ボタン１８ａおよび情報ランプ１８ｂを有する情報操作部１８などを備える。
【００１８】
地区表示窓１２と１３は、それぞれの地区回線ごとに地区名もしくは設置個所を文字にて示す表示欄と、それぞれの地区に対応して火災の発生又は防排煙端末の作動を報知する複数のランプとによって構成されている。地区表示窓１２と１３の構成及び使用例については、図２〜図４を用いて後に詳しく説明する。
特に限定されるものでないが、本実施例では、上記情報表示部１６のＶＦＤ（蛍光表示管）には、例えば１６文字の片仮名文を２行分表示可能な大きさのものが使用されている。なお、ＶＦＤの代わりに液晶表示パネルを使用するようにしても良いが、ＶＦＤを使用することで視野角を大きくすることができ、離れた位置や斜めの方向からも容易に表示内容を読み取ることができる。
【００１９】
上記情報操作部１８においては、監視者へ知らせる要因（火災や異常などのイベントの発生）があると情報ランプ１８ｂが点滅し、情報ランプ１８ｂの点滅中に情報ボタン１８ａが押されると点滅が点灯に変わり、情報表示部１６に火災情報及び異常情報が片仮名等で表示される。また、火災受信機１０の前面パネルの下部には開閉可能な子扉１０ａが設けられ、該子扉１０ａの内側に、電池試験の開始を指令する電池試験スイッチボタン１９Ａや火災試験の開始を指令する火災試験スイッチボタン１９Ｂ、試験からの復旧を指令する試験復旧ボタン１９Ｃ、火災試験からの復旧を指令する火災復旧ボタン１９Ｄ、後述の防排煙制御開始を指令するための防排煙制御ボタン１９Ｅや防排煙連動停止を指令する連動停止ボタン１９Ｆなどを有する内部操作部１９が設けられている。
【００２０】
上記表示操作部１７には、表示内容を順送りするためのシフトボタン（△）１７Ａ、逆送りするためのシフトボタン（▽）１７Ｂ、表示モードを元に戻すための「戻る」ボタン１７Ｃ、表示モードを決定するための「決定」ボタン１７Ｄが設けられている。
また、上記操作部（１１、１７、１８）からの指令入力を受けて各表示部（１２、１３、１６）やスピーカ１４を駆動する主制御基板２１および情報表示部１６のＶＦＤやランプの制御を行う表示制御基板３１が火災受信機１０の筐体の内部に設置されている。そして、図示しないが、上記表示制御基板３１上に各種設定を行うモードに移行する指令を与えるための設定スイッチボタンが設けられている。この設定スイッチボタンを操作することで可能になる設定の一つに防排煙出力連動先設定があり、この連動先設定では、上記情報表示部１６を使用して連動元と連動先を表示させ、表示操作部１７のシフトボタン１７Ａまたは１７Ｂの操作で連動元と連動先を順繰りに表示させ、「決定」ボタン１７Ｄの操作で選択した設定内容を確定できるように構成されている。
【００２１】
図２に示すように、火災受信機１０の主機能部２０は、当該火災受信機１０の筐体内に設けられているマイクロコンピュータ（ＣＰＵ）などからなる制御部２１ａと入出力部（Ｉ/Ｏ）２２ａ〜２２ｄ及びメモリ２３ａ〜２３ｃを備え、これらの機能ブロックがデータバス及びアドレスバスを介して接続され、主制御基板２１として構成されている。
メモリ２３ａはプログラム格納用のＲＯＭ、メモリ２３ｂは作業用のＲＡＭ、メモリ２３ｃは連動設定等に関するデータを格納するためのメモリでありＥＥＰＲＯＭ又はフラッシュメモリにて構成することができる。
【００２２】
また、主機能部２０は、複数の地区回線に接続された各感知器などの端末機器へ電源供給し発報信号などを受信して処理する感知器回線地区回路２４ａ、防排煙端末へ制御信号を送出し防排煙端末から駆動応答信号を受信して処理する防排煙回路２４ｂ、各地区音響装置または全ての地区音響装置を鳴動させる地区音響回路２４ｃ、他の設備機器へ火災信号などを送出する移信回路２４ｄ、メモリ２３ｃに蓄積された火災検知信号等のイベント履歴情報を通信ケーブルを介して外部のパーソナルコンピュータ等へ出力するシリアル通信ポート（シリアルＩ/Ｏ）２５ａ、火災や異常などのイベントが発生したことを情報表示機能部の表示制御基板３１（図１参照）へ知らせる信号を出力するシリアル通信ポート（シリアルＩ/Ｏ）２５ｂ等を備えている。
【００２３】
さらに、主制御基板２１には、前述した主操作部１１（図１参照）と、火災発報した回線や感知器線断線が発生した回線を表示する火報回線用の地区表示窓１２、火災が発生した場所や防排煙端末等の作動した場所を表示する防排煙回線用の地区表示窓１３、火災の発生等を知らせるスピーカ１４、受信機の音響やベル（地区音響）を停止させるための押釦を備えた音響操作部１５が接続されている。地区表示窓１２と１３は、それぞれ地区ごとに火災の発生又は防排煙装置の作動を報知する複数のランプにより構成されている（図１参照）。なお、主機能部２０の構成及び機能は、従来の火災受信機のものと同様で良いので、詳しい説明は省略する。
【００２４】
図３（Ａ），（Ｂ）には、火災受信機１０の前面パネルに設けられている火報回線用の地区表示窓１２及び防排煙回線用の地区表示窓１３の個別地区表示部の構成例を示す。このうち、（Ａ）は火報回線用の地区表示窓１２に設けられている個別地区表示部１２Ａ〜１２Ｅの構成、（Ｂ）は防排煙回線用の地区表示窓１３に設けられている個別地区表示部１３Ａ〜１３Ｅの構成を示す。
図３（Ａ）に示すように、火報回線用の地区表示窓１２の個別地区表示部１２Ａ〜１２Ｅは、地区名もしくは設置個所を文字にて示す地区名表示欄（プレート）１２１と、該地区名表示欄１２１の左側に設けられ対応する地区回線に接続されている感知器の火災発報を報知する赤色ＬＥＤランプ１２２ａおよび感知器線の断線を報知する黄色ＬＥＤランプ１２２ｂとによって構成されている。
【００２５】
また、図３（Ｂ）に示すように、防排煙回線用の地区表示窓１３の個別地区表示部１３Ａ〜１３Ｅは、地区名もしくは設置個所を文字にて示す地区名表示欄（プレート）１３１と、該地区名表示欄１３１の左側に設けられ対応する地区回線に接続されている連動用感知器の火災発報を報知する赤色ＬＥＤランプ１３２ａおよび感知器線の断線を報知する黄色ＬＥＤランプ１３２ｂと、地区名表示欄１３１の右側に設けられ対応する地区回線の防排煙端末の作動を報知する青色ランプ１３２ｃおよび連動停止状態を報知する黄色ＬＥＤランプ１３２ｄとによって構成されている。
【００２６】
個別地区表示部１３Ａ〜１３Ｅの４つのＬＥＤランプ１３２ａ〜１３２ｄのうち１３２ｄは、前述した子扉１０ａの内側に設けられている火災試験スイッチボタン１９Ｂが操作されることによって点灯状態にされる。
上記のように、個別地区表示部１２Ａ〜１２Ｅおよび個別地区表示部１３Ａ〜１３Ｅの左側に設けられている２つのＬＥＤランプ１２２ａ，１２２ｂと１３２ａ，１３２ｂは、ランプの並び方と発光色および報知内容が同一であることにより、監視者がランプ点灯の意味を間違えて認識するおそれがないという利点がある。また、個別地区表示部１３Ａ〜１３Ｅには、地区名表示欄１３１の右側にさらに２つのＬＥＤランプ１３２ｃ，１３２ｄが設けられているため、火報回線にはない防排煙回線に特有の状態を報知することができる。
【００２７】
図４（ａ）〜（ｆ）には、本実施形態における上記個別地区表示部１３Ａ〜１３Ｅの４つのＬＥＤランプ１３２ａ〜１３２ｄによる表示態様の例が示されている。図４において、白抜きの○印は消灯状態を表わし、メッシュ等が付されている○印は点灯状態を、また周囲に放射状の線が○印は点滅状態を表わしている。
図４（ａ）は、ＬＥＤランプ１３２ａが点灯されるとともに１３２ｃが点滅され、１３２ｂと１３２ｄは消灯されている表示態様であり、対応する防排煙回線の感知器が火災を感知し連動して防排煙端末が作動して制御している状態であることを表わしている。
なお、ここでの表示態様におけるランプ１３２ｃの点滅制御は、例えば５００ｍｓｅｃ間点灯した後続いて５００ｍｓｅｃ間消灯するのを繰り返すことによって１ｓｅｃ周期で点滅が行われる。また、後述の高速点滅制御は、例えば３００ｍｓｅｃ間点灯した後２００ｍｓｅｃ消灯することで５００ｍｓｅｃ周期の点滅が行われる。
【００２８】
図４（ｂ）は、ＬＥＤランプ１３２ｃが点滅され、１３２ａと１３２ｂと１３２ｄが消灯されている表示態様であり、対応する防排煙回線の防排煙端末を手動で作動させて制御している状態であることを表わしている。
図４（ｃ）は、ＬＥＤランプ１３２ａと１３２ｃが点灯され、１３２ｂと１３２ｄは消灯されている表示態様であり、対応する防排煙回線の感知器が火災を感知し連動して防排煙端末が作動して応答している状態であることを表わしている。
図４（ｄ）は、ＬＥＤランプ１３２ｃが点灯され、１３２ａと１３２ｂと１３２ｄが消灯されている表示態様であり、対応する防排煙回線の防排煙端末を手動で作動させて応答している状態であることを表わしている。
【００２９】
図４（ｅ）は、ＬＥＤランプ１３２ｄが点灯され、１３２ａと１３２ｂと１３２ｃは消灯されている表示態様であり、子扉１０ａの内側に設けられている火災試験スイッチボタン１９Ｂが操作されることによって防排煙端末の連動が停止されている状態であることを表わしている。図４（ｆ）は、ＬＥＤランプ１３２ｃが高速点滅され、１３２ａと１３２ｂと１３２ｄが消灯されている表示態様であり、手動で防排煙回線が選択されている状態であることを表わしている。
また、図示しないが、ＬＥＤランプ１３２ｂが点灯され、１３２ａと１３２ｃと１３２ｄが消灯されることで、対応する防排煙回線が断線であることを報知する表示態様等もある。
【００３０】
次に、防排煙回線用の地区表示窓１３の各個別地区表示部１３Ａ〜１３Ｅに設けられているＬＥＤランプ１３２ａ〜１３２ｄの駆動制御の例について、図５及び図６のフローチャートを用いて説明する。
図５には、火災受信機内（子扉の内側）に設けられている防排煙制御ボタン１９Ｅの操作により実行される防排煙手動制御の手順の一例が示されている。
【００３１】
図５に示すように、防排煙手動制御においては、先ず防排煙制御ボタン１９Ｅの上方にあるランプが点灯されるとともに主操作部１１にある複数のランプのうち「スイッチ注意灯」が点滅される（ステップＳ１)。また、複数の回線（実施例では５回線）のうちいずれか１回線の地区防排煙ランプ１３２ｃが高速点滅（図４(f)参照）されて手動制御が可能であることを報知する（ステップＳ２）。
次に、ステップＳ３へ進んで、表示操作部１７のシフトボタン１７Ａまたは１７Ｂが操作されたか否か判定する。ここで、シフトボタン１７Ａまたは１７Ｂが操作されていない（Ｎｏ）と判定するとステップＳ５へ移行し、操作された（Ｙｅｓ）と判定するとステップＳ４へ進み、次の回線の地区防排煙ランプ１３２ｃを高速点滅させてステップＳ５へ進む。
【００３２】
ステップＳ５では、表示操作部１７に設けられている決定スイッチボタン１７Ｄが押圧（オン操作）されたか否か判定する。そして、決定スイッチボタン１７Ｄが操作されていない（Ｎｏ）と判定するとステップＳ３へ戻り、操作された（Ｙｅｓ）と判定するとステップＳ６へ進む。
ステップＳ６では、ステップＳ４で高速点滅させた地区防排煙ランプ１３２ｃを低速の点滅（高速点滅される前の点滅周期による点滅：図４(b)参照）に切り替える。
【００３３】
その後、ステップＳ７へ進んで、当該回線の防排煙端末が作動したか否か判定する。そして、防排煙端末が作動した（Ｙｅｓ）と判定すると、ステップＳ８へ進んで、点滅中の地区防排煙ランプ１３２ｃを点灯（図４(d)参照）に切り替えるとともに、受信機が備える音響装置を鳴動させる。続いて、音響操作部１５の音響停止釦が操作されたか否か判定し（ステップＳ９）、音響停止釦が操作された（Ｙｅｓ）と判定すると、ステップＳ１０へ進んで、再度防排煙制御ボタン１９Ｅが操作されたか否か判定し、防排煙制御ボタン１９Ｅが操作されていない（Ｎｏ）と判定するとステップＳ３へ戻り、操作された（Ｙｅｓ）と判定すると処理を終了する。
【００３４】
図６には、火災受信機内（子扉の内側）に設けられている火災試験スイッチボタン１９Ｂの操作により実行される火災試験制御の手順の一例が示されている。
図６に示すように、火災試験制御においては、先ず火災試験スイッチボタン１９Ｂの上方にあるランプが点灯され試験が可能な状態になるとともに、主操作部１１にある「スイッチ注意灯」が点滅される（ステップＳ１１)。また、火報回線用の地区表示窓１２では複数の回線（実施例では５回線）のうちいずれか１回線の地区火災発報ランプ１２２ａが高速点滅されるとともに、子扉の内側に設けられている防排煙連動停止ボタン１９Ｆの上方にあるランプが点灯されて操作が有効であることを報知しかつすべての防排煙回線用の地区表示窓１３にある全個別地区表示部１３Ａ〜１３Ｅの地区連動停止ランプ１３２ｄが点灯されて、防排煙端末の連動制御が停止されていることを報知する（ステップＳ１２）。
【００３５】
次に、ステップＳ１３へ進んで、表示操作部１７のシフトボタン１７Ａまたは１７Ｂが操作されたか否か判定する。ここで、シフトボタン１７Ａまたは１７Ｂが操作されていない（Ｎｏ）と判定するとステップＳ１５へ移行し、操作された（Ｙｅｓ）と判定するとステップＳ１４へ進み、次の回線の地区火災発報ランプ１２２ａを高速点滅させてステップＳ１５へ進む。
ステップＳ１５では、表示操作部１７に設けられている決定スイッチボタン１７Ｄが押圧（オン操作）されたか否か判定する。そして、決定スイッチボタン１７Ｄが操作されていない（Ｎｏ）と判定するとステップＳ１３へ戻り、操作された（Ｙｅｓ）と判定するとステップＳ１６へ進む。
【００３６】
ステップＳ１６では、ステップＳ１４で高速点滅させた地区火災発報ランプ１２２ａを点灯に切り替えるとともに、主操作部１１にある「火災蓄積確認灯」を点灯させかつ受信機が備える音響装置を鳴動させる。
その後、所定の蓄積時間が経過すると、ステップＳ１７へ進んで、主操作部１１にある「火災代表灯」を点灯させるともに、ステップＳ１６で点灯させた「火災蓄積確認灯」を消灯させる。次に、ステップＳ１８へ進んで、再度火災試験スイッチボタン１９Ｂが操作されたか否か判定し、火災試験スイッチボタン１９Ｂが操作されていない（Ｎｏ）と判定するとステップＳ１３へ戻り、操作された（Ｙｅｓ）と判定するとステップＳ１９へ進む。
【００３７】
ステップＳ１９では、火災試験スイッチボタン１９Ｂの上方に設けられているランプと主操作部１１にある「スイッチ注意灯」を消灯させる。その後、ステップＳ２０へ進んで、火災受信機内部に設けられている火災復旧スイッチボタン１９Ｄが操作されたか否か判定し、火災復旧スイッチボタン１９Ｄが操作された（Ｙｅｓ）と判定するとステップＳ２１へ進んで、主操作部１１にある「火災代表灯」および火報回線用の地区表示窓１２の地区火災発報ランプ１２２ａを消灯させるとともに、受信機の音響装置およびベル（地区音響）の鳴動を停止させる。
【００３８】
次に、ステップＳ２１で受信機が復旧したか否か判定し、受信機が復旧した（Ｙｅｓ）と判定するとステップＳ２２へ進んで、火災受信機内部に設けられている防排煙連動停止ボタン１９Ｆが操作されたか否か判定する。そして、防排煙連動停止ボタン１９Ｆが操作された（Ｙｅｓ）と判定すると、ステップＳ２３へ進んで防排煙連動停止ボタン１９Ｆの上方にあるランプおよび防排煙回線用の地区表示窓１３にある全個別地区表示部１３Ａ〜１３Ｅの地区連動停止ランプ１３２ｄを消灯させ、通常の監視状態へ戻り一連の処理を終了する。
【００３９】
次に、本発明を副受信機に適用した場合の実施例について説明する。
副受信機は、前述した火災受信機の設置場所である監視拠点以外の場所でも火災の状況を把握できるようにするための表示装置であり、第２、第３の監視拠点などに設置することで迅速な初期対応を可能にすることができる装置として従来から提供されている。
本実施例の副受信機４０は、図７に示すように、筐体４１の前面パネルに、火災発報した回線や感知器線断線が発生した回線を表示する火報回線用の地区表示窓４２、火災が発生した場所や防排煙端末等の作動した場所を表示する防排煙回線用の地区表示窓４３、火災の発生等を知らせるスピーカ４４、受信機の音響やベル（地区音響）を停止させるための音響停止スイッチ釦４５、音響停止スイッチが有効であることを知らせるためのスイッチ注意灯４６などを備える。
【００４０】
本実施例の副受信機４０は、上記火報回線用の地区表示窓４２および防排煙回線用の地区表示窓４３として、前述した火災受信機１０における地区表示窓１２および１３と同一構成のものが使用されている。すなわち、火報回線用の地区表示窓４２は、図３（Ａ）に示されている個別地区表示部１２Ａ〜１２Ｅと同様に、地区名表示欄（プレート）１２１と、該地区名表示欄１２１の左側に設けられて感知器の火災発報を報知する赤色ＬＥＤランプ１２２ａおよび感知器線の断線を報知する黄色ＬＥＤランプ１２２ｂとによって構成されている。
【００４１】
また、防排煙回線用の地区表示窓４３は、図３（Ｂ）に示されている個別地区表示部１３Ａ〜１３Ｅと同様に、地区名表示欄（プレート）１３１と、該地区名表示欄１３１の左側に設けられ対応する地区回線に接続されている連動用感知器の火災発報を報知する赤色ＬＥＤランプ１３２ａおよび感知器線の断線を報知する黄色ＬＥＤランプ１３２ｂと、地区名表示欄１３１の右側に設けられ対応する地区回線の防排煙端末の作動を報知する青色ランプ１３２ｃおよび連動停止状態を報知する黄色ＬＥＤランプ１３２ｄとによって構成されている。
なお、副受信機４０には地区回線が接続されていないとともに火災受信機の主機能は備えておらず、副受信機４０における地区表示窓４２および地区表示窓４３の表示制御は、前述した火災受信機１０から伝送用ケーブルを介して送信される情報に基づいて実行されるように構成されている。
【００４２】
以上本発明者によってなされた発明を実施形態に基づき具体的に説明したが、本発明は前記実施形態に限定されるものではない。例えば、前記実施形態では、防排煙回線用の地区表示部１３において、地区名表示欄１３１の左方に火災発報報知用ＬＥＤランプ１３２ａと断線報知用ＬＥＤランプ１３２ｂを配置し、地区名表示欄１３１の右方に防排煙端末作動報知用ＬＥＤランプ１３２ｃと連動停止報知用ＬＥＤランプ１３２ｄを配置するようにしているが、これらのランプを地区名表示欄１３１の上方と下方にそれぞれ配置するようにしても良いし、左方と上方、左方と下方あるいは上方と右方に配置するようにしても良い。
また、以上の説明では、本発明を火災受信機に適用した場合を例にとって説明したが、本発明は人感センサ等を有する監視システムを構成可能な受信機に適用することが可能である。
【符号の説明】
【００４３】
１０    火災受信機（監視装置）
１１    主操作部
１２    火報回線用の地区表示部
１２１  地区名表示欄
１２２ａ  火災発報報知用ＬＥＤランプ
１２２ｂ  断線報知用ＬＥＤランプ
１３    防排煙回線用の地区表示部
１３１  地区名表示欄
１３２ａ  火災発報報知用ＬＥＤランプ
１３２ｂ  断線報知用ＬＥＤランプ
１３２ｃ  防排煙端末作動報知用ＬＥＤランプ
１３２ｄ  連動停止報知用ＬＥＤランプ
１４    スピーカ
１５    音響操作部
１６    情報表示部
１７    表示操作部
１８    情報操作部
１９    内部操作部
２０    主機能部
２１    主制御基板
３１    情報表示制御基板
３０    情報表示機能部
【図１】
2019128862.tif 000003
【図２】
2019128862.tif 000004
【図３】
2019128862.tif 000005
【図４】
2019128862.tif 000006
【図５】
2019128862.tif 000007
【図６】
2019128862.tif 000008
【図７】
2019128862.tif 000009